(57)【要約】【課題】簡易な構成で、かつ、消費電力を抑えつつ、被加熱部材に対し加熱ローラの軸方向の全域にわたって均一化された熱の供給が可能な加熱装置を提供する。【解決手段】加熱ローラ１の軸方向に沿って配置される加熱ランプ１０を保持するランプホルダベース１６、ランプホルダ１７にラックギア１９を固着し、このラックギア１９にピニオンギア２２を噛合させ、前記ラックギア１９と前記ピニオンギア２２とを用いて加熱ランプ１０を前記軸方向において往復移動させる。【選択図】図２
2004253216.tif 000002
【特許請求の範囲】
【請求項１】
ローラの軸方向に沿って配置される熱源を内部に備えた加熱ローラと、
前記加熱ローラに圧接するように配置される加圧ローラと、を備え、前記加熱ローラおよび前記加圧ローラの間を通過する被加熱部材を加熱する加熱装置において、
前記熱源を前記加熱ローラの軸方向において往復移動自在に保持する熱源保持手段を備えたことを特徴とする加熱装置。
【請求項２】
前記熱源保持手段は、前記熱源を保持する保持部材の一方の端部にラックギアを設け、前記ラックギアに噛合するピニオンギアを回転駆動するとともに、前記保持部材の他方の端部を前記加熱ローラの軸方向において往復移動自在にしたことを特徴とする請求項１に記載の加熱装置。
【請求項３】
前記ピニオンギアは、前記加熱ローラの回転に連動して駆動されており、
前記ピニオンギアのギア歯は、前記ラックギアと前記ピニオンギアとの噛合が解除される状態が一時的に形成されるようにその一部が除去されており、
前記熱源保持手段は、前記ラックギアおよび前記ピニオンギアによる前記熱源の移動方向とは反対の方向に前記保持部材を付勢する弾性部材を備えたことを特徴とする請求項１または２に記載の加熱装置。
【請求項４】
前記熱源保持手段は、前記熱源が通電されるタイミングで、前記熱源を前記加熱ローラの軸方向に往復移動させることを特徴とする請求項１〜３のいずれかに記載の加熱装置。
【請求項５】
前記熱源には、自ら発熱する複数の発熱部が、それぞれの発熱部の間に接続部を挟んで等間隔に所定のピッチで配置されており、
前記熱源保持手段は、前記軸方向において前記熱源を少なくとも前記ピッチよりも大きい範囲で往復移動させることを特徴とする請求項１〜４のいずれかに記載の加熱装置。
【発明の詳細な説明】
【０００１】
【発明の属する技術分野】
この発明は、加熱ローラおよび加圧ローラの間を通過する被加熱部材を加熱する加熱装置に関する。
【０００２】
【従来の技術】
まず、一般的な加熱装置の構成を説明する。図８は、加熱装置を画像形成装置の定着装置として使用している状態を示している。なお、同図において左右方向に用紙搬送路が形成されており、図中の右から左へと用紙が搬送される。同図に示すように、加熱装置（ここでは、定着装置）は、内部に熱源１１０を有する加熱ローラ１０１と、加熱ローラ１０１に圧接するように配置される加圧ローラ１０２とを備えており、加熱ローラ１０１および加圧ローラによって用紙を挟持しつつ加熱する。ここで、加熱ローラ１０１の内部（中空部）の熱源１１０は、消費電力等の観点から、同図において紙面に直交する方向、すなわち加熱ローラ１０１の軸方向に沿って、熱効率の良いハロゲンランプを配置して構成されるものが多かった。
【０００３】
図９（ａ）は、ハロゲンランプを使用した熱源の構成を概略を示している。熱源１１０としてのハロゲンランプ（加熱ランプ）を１本の発熱部１１０ａで構成すると、発熱部１１０ａに流れる電流によって断線する虞があるため、一般的には図９（ａ）に示すように、熱源１１０を複数の発熱部１１０ａに分割するとともに、それぞれの１１０ａの間を接続部１１０ｂによって接続する構成が採用されることが多く、この構成により、ハロゲンランプの耐久性の向上が図られていた。
【０００４】
ところが、上述の加熱ローラ１０１の構成では加熱ローラ１０１を均一に温めることが困難になるという問題が生じることがあった。すなわち、図９（ａ）に示すように、図中の左右方向で示される加熱ローラ１０１の軸方向において、発熱部１０１ａを分割して配置すると、加熱ローラ１０１における発熱部１１０ａに対向する箇所と、発熱部１１０ａに対向しない箇所、すなわち加熱ローラ１０１における接続部１１０ｂに対向する箇所と、の間で熱源１１０から供給される熱量が異なり、この結果、加熱ローラ１０１の軸方向における全域にわたって均一に加熱することが困難になる。
【０００５】
そして、加熱ローラ１０１の表面温度は、定着装置への通電が開始されウォームアップが完了するまでの加熱初期には、急激に加熱ローラ１０１表面の温度が上昇するため、図９（ｂ）に示すように、発熱部１１０ａおよび接続部１１０ｂのそれぞれに対応する部分での温度差が顕著になる。
【０００６】
また、ウォームアップ完了後には加熱ローラ１０１が設定温度付近に達し、図９（ｂ）に示すように、加熱初期に比べて加熱ローラ１０１の表面温度のばらつきが小さくなるが、依然として発熱部１１０ａに対応する部分での温度が高く、接続部１１０ｂに対応する部分での温度が低くなっている。
【０００７】
特に、加熱ローラ１０１の構造において、近年の省電力化、並びにコンパクト設計の観点から「薄肉定着装置」の開発が進み、芯金部を薄くするとともに、芯金部の表層に離形層を蒸着する定着装置が多く開発されている現在では、上述の加熱ローラの軸方向における温度のバラツキの発生がより顕著になっている。
【０００８】
そこで、上述の問題を解決するために、図１０（ａ）に示すように、加熱ローラ１０１の内部に複数の加熱ランプ（発熱体）を配置し、その発熱部の位置を加熱ローラ１０１の軸方向においてお互いにずらすことによって、加熱ローラ１０１の表面温度のバラツキを解消する技術がある（例えば、特許文献１参照。）。
【０００９】
【特許文献１】
特開平５−２６６９６３号公報
【発明が解決しようとする課題】
しかしながら、特許文献１を含む従来の技術は、定着装置のコンパクト設計、および省電力化に相反して、加熱ローラ１０１の内部に複数の発熱体を設けているという問題を有している。また、上述の従来技術は、近年叫ばれている、国内の電気の規格（通称：デントリ）や海外の各規制値（ＵＬ規格、ブルー・エンジェル等々）が定める省エネモード時の消費電力、並びに実動作時の消費電力を満足できるものではない。
【００１０】
この発明の目的は、簡易な構成で、かつ、消費電力を抑えつつ、被加熱部材に対し加熱ローラの軸方向の全域にわたって均一化された熱の供給が可能な加熱装置を提供することである。
【００１１】
【課題を解決するための手段】
この発明は以下の構成を備えている。
【００１２】
（１）ローラの軸方向に沿って配置される熱源を内部に備えた加熱ローラと、
前記加熱ローラに圧接するように配置される加圧ローラと、を備え、前記加熱ローラおよび前記加圧ローラの間を通過する被加熱部材を加熱する加熱装置において、
前記熱源を前記加熱ローラの軸方向において往復移動自在に保持する熱源保持手段を備えたことを特徴とする。
【００１３】
この構成においては、熱源保持手段によって、加熱ローラの軸方向、すなわち加熱ローラの長手方向に配置される熱源が、往復移動が可能な状態で保持されている。したがって、前記熱源の発熱量が前記軸方向において均一でない場合でも、加熱ローラ内部において前記熱源が前記軸方向に沿って往復移動することにより、前記熱源から熱の供給を受ける加熱ローラの表面の温度が均一化する。
【００１４】
（２）前記熱源保持手段は、前記熱源を保持する保持部材の一方の端部にラックギアを設け、前記ラックギアに噛合するピニオンギアを回転駆動するとともに、前記保持部材の他方の端部を前記加熱ローラの軸方向において往復移動自在にしたことを特徴とする。
【００１５】
この構成においては、前記熱源を保持する保持部材が、前記保持部材の一端側に設けられたラックギアおよびピニオンギアの作用によって前記軸方向に沿って往復移動する。したがって、前記熱源は前記保持部材とともに前記軸方向において往復移動するため、保持部材の一方の端部側にラックギアおよびピニオンギア等を設けるという簡易な構成により好適に前記熱源が前記軸方向において往復移動し、前記熱源から熱の供給を受ける加熱ローラの表面の温度が均一化する。
【００１６】
（３）前記ピニオンギアは、前記加熱ローラの回転に連動して駆動されており、前記ピニオンギアのギア歯は、前記ラックギアと前記ピニオンギアとの噛合が解除される状態が一時的に形成されるようにその一部が除去されており、
前記熱源保持手段は、前記ラックギアおよび前記ピニオンギアによる前記熱源の移動方向とは反対の方向に前記熱源を付勢する弾性部材を備えたことを特徴とする。
【００１７】
この構成においては、加熱ローラが回転駆動されると、それに伴って前記ピニオンギアが回転駆動されて前記熱源が前記軸方向における一方の方向に移動するとともに、前記ラックギアと前記ピニオンギアとの噛合が解除される状態においては前記熱源が前記弾性部材の作用によって前記軸方向における他方の方向に移動する。
【００１８】
したがって、例えば、定着装置における加熱ローラおよび加圧ローラの間を用紙が通過するときには、加熱ローラが回転するのに伴って自動的に加熱ローラ内部の熱源が前記軸方向において往復移動するため、用紙上に付着した未定着の現像剤を溶融および固着する際に、加熱ローラの表面温度が均一化される。
【００１９】
（４）前記熱源保持手段は、前記熱源が通電されるタイミングで、前記熱源を前記加熱ローラの軸方向に往復移動させることを特徴とする。
【００２０】
この構成においては、前記熱源が通電されるタイミング、すなわち、定着装置の予熱（ウォームアップ）時から、前記加熱ローラの熱源が前記加熱ローラの軸方向において往復移動している。したがって、前記加熱ローラを所定温度にまで加熱する際に通電開始から前記熱源が前記軸方向に沿って往復移動することにより、加熱ローラ全体がより均一に加熱される。これにより、被加熱部材を加熱する際には、既に加熱ローラの表面の温度が加熱ローラの軸方向の全域において均一化された状態が形成されているため、例えば、用紙に付着した未定着の現像剤像が溶融および固着される際に良好な定着性能が得られる。
【００２１】
（５）前記熱源には、自ら発熱する複数の発熱部が、それぞれの発熱部の間に接続部を挟んで等間隔に所定のピッチで配置されており、
前記熱源保持手段は、前記軸方向において前記熱源を少なくとも前記ピッチよりも大きい範囲で往復移動させることを特徴とする。
【００２２】
この構成においては、加熱ローラを内部から加熱する複数の発熱部が、それぞれの間に接続部を挟んで等間隔に所定のピッチ（心距）で配置されており、前記熱源保持手段によって、前記熱源が前記ピッチ（心距）よりも大きな幅で往復移動する。
【００２３】
したがって、前記熱源が前記加熱ローラの全域を均一に加熱するために十分な範囲において移動することで、前記加熱ローラの前記軸方向における温度がより均一化される。
【００２４】
【発明の実施の形態】
以下、図を用いて、本発明の加熱装置の実施形態である定着装置を説明する。
まず、本発明の加熱装置を定着装置として適用した画像形成装置の一例を説明する。本実施形態に係る画像形成装置６０は、図７に示すように上面に透明なガラス等からなる原稿台４０を有している。この原稿台４０の下方には、スキャナ光学系４１が配されている。このスキャナ光学系４１は原稿台４０上に載置される原稿に光を照射する露光用光源４２と原稿からの反射光を例えば図中の一点鎖線で示すように、このスキャナ光学系４１内の結像レンズ４５を通した向こう側（右側）に配置された光電変換素子（以下、ＣＣＤという。）４３に導く複数の反射鏡４４と光路中に配される前記結像レンズ４５と、ＣＣＤ４３とを備えている。
【００２５】
また、ＣＣＤ４３によって読み取られた原稿画像データは、画像処理が施されレーザスキャニングユニット（以下、ＬＳＵと称する）５０によりレーザ光を感光体４６の表面に照射し静電潜像が形成される。
【００２６】
感光体４６は、矢印方向に回転駆動されるドラム形状をなしており、この感光体４６の周囲にはレーザ照射点から感光体４６の回転方向に向かって、レーザによって露光された感光体４６表面の静電潜像をトナーにより可視像に現像する現像装置４７、感光体４６上のトナー像を用紙に転写する転写チャージャローラ４８、感光体を所定の電位に帯電させる主帯電器４９、および感光体のレーザ照射点にむかってレーザを照射させるＬＳＵ５０等が順に設けられる。
【００２７】
また、用紙は用紙トレイ５１に収められる。用紙トレイ５１の先端部には用紙を給紙するためのピックアップローラが配されており、用紙トレイ５１から排紙トレイまでの間に形成される用紙搬送路における下流側に向かって、用紙の通過を検知するための入紙センサスイッチ、前記入紙センサスイッチの信号を基に感光体４６上のトナー像と用紙の位置あわせを行うレジストローラ、感光体４６上のトナー像を用紙に転写する転写チャージャローラ４８、用紙上のトナー像を熱により定着させる定着装置５２、排紙ローラ前で用紙が通過したことを検知する排紙検知スイッチ、用紙を排出するための前記排紙ローラが配置されている。
【００２８】
図１は、本発明の定着装置５２の概略を示す断面図である。同図において、紙面に直交するように用紙（記録用紙、転写紙等のシート材をすべて含む。以下、同じ。）が搬送される用紙搬送路が形成されている。同図に示すように、本実施形態に係る定着装置５２は、用紙搬送路を挟んで両側に加熱ローラ１と加圧ローラ２を備えている。
【００２９】
加熱ローラ１は、未定着の現像剤が付着された状態で用紙搬送路上を搬送される用紙に対して熱を供給する。同図に示すように、加熱ローラ１は、軸方向（図中の左右方向）に沿って、熱源としての加熱ランプ１０を配置している。この加熱ランプ１０は、自らが発熱する複数の発熱部１１と、それぞれの発熱部１１に挟まれるように配置される接続部１２を含んでおり、それぞれの発熱部１１は等間隔に所定のピッチで配置されている。なお、ここでピッチとは心距をいうものとし、具体的には軸方向における発熱部１１の中心と、この発熱部１１に隣接する発熱部１１の中心との距離をいう。加熱ローラ１は、一端が駆動ギア３に連結され、定着装置５２の駆動源からを駆動ギア３を介して伝達される駆動力によって回転する。また、加圧ローラの軸方向の両端側には加圧部材１４、１５が配置されている。
【００３０】
本発明は、このように軸方向に沿って複数の発熱部１１を分割して配置した場合において、後述する本発明の熱源保持手段を用いて、加熱ローラ１の表面を温度を軸方向の全域にわたって均一化することを特徴とするものである。
【００３１】
図２および図３は、本発明の熱源保持手段の構成を示す図であり、図２は熱源保持手段の斜視図を示しており、図３は、熱源保持手段の側面図を示している。これらの図に示すように、本発明の熱源保持手段は、加熱ランプ１０を保持するランプホルダ１７およびランプホルダベース１６、ランプホルダ１７に固定されたラックギア１９、ラックギア１９に噛合するピニオンギア２２、ピニオンギア２２と同軸上に配置されるピニオンギア２２に回転力を伝達するネジ歯車２３、そして加圧ローラ２と同軸上に配置されるとともにネジ歯車２３に噛合して加圧ローラ２の回転力をネジ歯車２３に伝達するネジ歯車２４を備えている。
【００３２】
加圧ローラ１側には加熱ローラギア２０が設けられており、加熱ローラギア２０に係合するように、加圧ローラ２側に連結ギア２１が設けられている。ここで、加熱ローラ１は、一端が駆動ギア３に連結され、定着装置５２の駆動源から駆動ギア３に受けた駆動力によって回転する。
【００３３】
また、このため、駆動ギア３によって、加熱ローラ１が図２（ａ）に示す矢印Ｘ方向に回転駆動すると、加熱ローラギア２０に係合した連結ギア２１により、加圧ローラ２が上述の矢印Ｘ方向とは反対方向のＹ方向に回転駆動する。そして、加熱ローラ１と加圧ローラ２との間を、図３（ｂ）中の矢印５に示す用紙搬送方向に、未定着の現像剤像が付着した用紙が搬送され、この用紙上に定着画像が形成される。
【００３４】
上述のように、加熱ローラ１内には、加熱ランプ１０が設けられており、加熱ランプ１０は、図４（ａ）および図４（ｂ）に示すように、ランプホルダベース１６、ランプホルダ１７内に設置され、同図中のランプ固定部２７、２８によって固定されている。また、加熱ランプ１０の両端は、加熱ランプ１０を通電するために、図４（ａ）に示す通電用固定ビス３０に接続されている。
【００３５】
さらに、ランプホルダベース１６は、図４（ａ）に示すように、定着装置５２のフレーム１３に設けられた弾性部材としてのランプホルダスプリング（以下、単にスプリングという。）２６に接続されている。なお、スプリング２６が本発明の弾性部材を構成する。
【００３６】
なお、ピニオンギア２２は、図３に示すように、一部のギア歯が欠けたギアであり、ギア歯のある部分でラックギア１９に係合しているため、ギア歯が欠けた箇所については一時的にラックギア１９とピニオンギア１９の係合状態が解除する。
【００３７】
また、図３（ａ）に示すように、ピニオンギア２２に同期して回転するように設けられたネジ歯車２３と、加圧ローラ１の連結ギア２１に同期して回転するように設けられたネジ歯車２４とが係合するように設けられている。
【００３８】
上述の構成において加熱ローラ１と加圧ローラ２との間を記録用紙が通過するように搬送するために、加熱ローラ１が駆動ギア３からの駆動を受けて回転駆動すると、加熱ローラギア２０が回転して、加圧ローラ２の連結ギア２１が回転する。この連結ギア２１の回転に同期して、図３（ａ）に示すネジ歯車２４が回転し、ネジ歯車２４に係合したネジ歯車２３が回転することによって、ピニオンギア２２に回転力が伝達される。
【００３９】
図４（ａ）に示すように、ランプホルダ１７と一体化しているランプホルダベース１６がスプリング２６によって定着装置５２のフレーム１３に連結されている。そのため、図１（ａ）に示すように、ピニオンギア２２がギア歯のある部分で上記ランプホルダ１７に設けられたラックギア１９に係合すると、上述のピニオンギア２２の回転に伴って、ランプホルダベース１６およびランプホルダ１７が、スプリング２６が短縮する方向（図中の矢印方向）に移動する。
【００４０】
つまり、図３（ｂ）に示すように、スプリング２６が収縮して、ランプホルダＡが定着装置５２のフレームに設けられたストッパ２９に当接する。このとき、ピニオンギア２２は、図１（ｂ）に示すように、ギア歯のない部分がラックギア１９に対向した状態となり、図５（ａ）および図５（ｂ）に示すようにピニオンギア２２がさらに回転しても、ラックギア１９が設けられたランプホルダ１７は、ストッパ２９に当接した位置にて静止した状態を維持する。
【００４１】
その後、さらにピニオンギア２２が回転して、再びギア歯のある部分がラックギア１９に係合するまでの間において、スプリング２６の弾性力によりランプホルダベース１６、ランプホルダ１７が、図１（ｂ）の矢印が示すスプリング２６が伸長する方向に移動する。
【００４２】
このようにして、定着装置５２にて用紙が搬送されると、加熱ランプ１０がランプホルダベース１６、ランプホルダ１７に固定された状態で、用紙の搬送方向に直交する方向、すなわち加熱ローラ１の軸方向にスライド（往復移動）する。したがって、図２に示す加熱ランプ１０の発熱部１１と接続部１２とが、用紙の搬送方向に直交する方向にスライドすることになり、図６（ａ）に示すように、加熱ローラ１全体が発熱部１１によって均一に加熱されることになる。
【００４３】
すなわち、加熱ランプ１０がスライドする前後にて、発熱部１１の配置位置と接続部１２の配置位置とが入れ替わることになるため、スライド前には接続部１２が配置されているために温められていなかった加熱ローラ１の領域が、熱源保持手段によって加熱ランプ１０がスライドした後には、発熱部１１が配置されているために温められることになり、加熱ローラ１が軸方向の全域にわたって均一に加熱される。
【００４４】
加熱ローラ１の温度変化は、図６（ｂ）に示すように、図６（ａ）のＡ−Ａポイントでは、加熱初期（ウォームアップ時間）は、設定温度に至るまで急激に温度上昇するが、ウォームアップが完了して設定温度に達すると、加熱ランプ１０が上述のようにスライドすることによって、時間とともに設定温度を上下するように変動する。このように、加熱ランプ１０がスライドすることによって、時間変化とともに加熱ローラ全体が均一に加熱されて一定温度（設定温度）となる。
【００４５】
上述のように、加熱ランプ１０をスライドさせるために、加熱ランプ１０の一方の端部を保持するランプホルダベース１６、ランプホルダ１７が、図３（ｂ）に示すように、ピニオンギア２２に連結されている。これに対し、図３（ｂ）に示すように、加熱ランプ１０のもう一方の端部（以下、他端）のランプホルダベース１６、ランプホルダ１７には、ピニオンギア２２は連結されていない。
【００４６】
すなわち、加熱ランプ１０を保持する一方の端部のランプホルダベース１６、ランプホルダ１７に、ラックギア１９およびピニオンギア２２を設ければ、加熱ランプ１０をスライドさせることができる。そのため、加熱ランプ１０の他端は、加熱ランプ１０をスライドさせるためのスライド駆動源は備えている必要はなく、加熱ランプ１０のスライドを可能とする摺動部材を備えていればよい。なお、この摺動部材は、加熱ランプ１０の前記軸方向にそれぞれ直交する２方向における移動を規制するものであれば、特にその部材に特定のものに限定されることはない。
【００４７】
また、加熱ランプ１０のスライド距離は、図２に示す少なくとも１つの発熱部１１の長さと、少なくとも１つの接続部１２の長さとの加算距離、すなわち各発熱部１１間のピッチ（心距）以上である。これにより、加熱ランプ１０が前記軸方向においてスライドすることにより、スライド前には接続部１２が配置されていた位置に発熱部が配置されることになるので、加熱ローラ１が軸方向の全域にわたって一様に加熱される。
【００４８】
なお、本実施の形態では、定着装置５２が用紙の搬送に伴って、加熱ローラ１が回転駆動したタイミングにて、加熱ランプ１０がスライドする構成について説明したが、加熱ランプ１０に通電されるタイミングで加熱ランプがスライドする構成としてもよい。すなわち、定着装置５２を設定温度にまで達するまでのウォームアップ時に加熱ランプ１０への通電が開始されると、加熱ローラ１が回転する構成としてもよい。これにより、加熱ローラ１全体を均一に設定温度にまで温めることができる。
【００４９】
特に、薄肉型の定着装置５２に対しても、上述の発明を適用して、加熱ローラ１の温度のばらつきを低減することができるので、定着装置５２の省電力化およびコンパクト設計を実現することが可能になる。
【００５０】
【発明の効果】
以上のように、この発明によれば、以下の効果を奏することができる。
【００５１】
（１）熱源保持手段が、加熱ローラの軸方向、すなわち加熱ローラの長手方向に配置される熱源を、往復移動が可能な状態で保持していることにより、前記熱源の発熱量が前記軸方向において均一でない場合でも、加熱ローラ内部において前記熱源を前記軸方向に沿って往復移動させることで、前記熱源から熱の供給を受ける加熱ローラの表面の温度を均一化することができる。
【００５２】
（２）前記熱源を保持する保持部材が、前記保持部材の一端側に設けられたラックギアおよびピニオンギアの作用によって前記軸方向に沿って往復移動することにより、前記熱源を前記保持部材とともに前記軸方向において往復移動させることが可能になるため、保持部材の一方の端部側にラックギアおよびピニオンギア等を設けるという簡易な構成により好適に前記熱源を前記軸方向において往復移動させて前記熱源から熱の供給を受ける加熱ローラの表面の温度を均一化することができる。
【００５３】
（３）加熱ローラが回転駆動されると、それに伴って前記ピニオンギアが回転駆動されて前記熱源が前記軸方向における一方の方向に移動するとともに、前記ラックギアと前記ピニオンギアとの噛合が解除される状態においては前記熱源が前記弾性部材の作用によって前記軸方向における他方の方向に移動することにより、例えば、定着装置における加熱ローラおよび加圧ローラの間を用紙が通過するときには、加熱ローラが回転するのに伴って自動的に加熱ローラ内部の熱源を前記軸方向において往復移動させることができ、用紙上に付着した未定着の現像剤を溶融および固着する際に、加熱ローラの表面温度の均一化を図ることが可能になる。
【００５４】
（４）前記熱源が通電されるタイミング、すなわち、定着装置の予熱（ウォームアップ）時から、前記加熱ローラの熱源を前記加熱ローラの軸方向において往復移動させることにより、前記加熱ローラを所定温度にまで加熱する際に通電開始から前記熱源が前記軸方向に沿って往復移動するため、加熱ローラの軸方向の全域をより均一に加熱することが可能になる。これにより、被加熱部材を加熱する際には、既に加熱ローラの表面の温度が加熱ローラの軸方向の全域において均一化された状態を形成することができるため、例えば、用紙に付着した未定着の現像剤像が溶融および固着される際に良好な定着性能を得ることが可能になる。
【００５５】
（５）加熱ローラを内部から加熱する複数の発熱部を、それぞれの間に接続部を挟んで等間隔に所定のピッチ（心距）で配置し、前記熱源保持手段が前記熱源を前記ピッチ（心距）よりも大きな幅で往復移動させることにより、前記熱源が前記加熱ローラの全域を均一に加熱するために十分な幅だけ移動するため、前記軸方向において前記加熱ローラの温度をより均一化することが可能になる。
【００５６】
よって、簡易な構成で、かつ、消費電力を抑えつつ、被加熱部材に対し加熱ローラの軸方向の全域にわたって均一化された熱の供給が可能な加熱装置を提供することができる。
【図面の簡単な説明】
【図１】本発明の加熱装置における加熱ローラの概略構成を示す図である。
【図２】本発明の熱源保持機構の構成の概略を示す斜視図である。
【図３】本発明の熱源保持機構の構成の概略を示す側面図である。
【図４】本発明の熱源保持機構による熱源の往復移動の動作を示す側面図である。
【図５】本発明の熱源保持機構による熱源の往復移動の動作を示す側面図である。
【図６】加熱ローラの軸方向の全域における温度を示す図である。
【図７】本発明の加熱装置が適用される画像形成装置を構成を示す図である。
【図８】定着装置の一般的な構成を示す図である。
【図９】従来の加熱ローラの構成を示す図である。
【図１０】従来の加熱ローラの構成を示す図である。
【符号の説明】
１−加熱ローラ
２−加圧ローラ
３−駆動ギア
１６−ランプホルダベース
１７−ランプホルダ
１９−ラックギア
２２−ピニオンギア
２６−スプリング
５２−定着装置
【図１】
2004253216.tif 000003
【図２】
2004253216.tif 000004
【図３】
2004253216.tif 000005
【図４】
2004253216.tif 000006
【図５】
2004253216.tif 000007
【図６】
2004253216.tif 000008
【図７】
2004253216.tif 000009
【図８】
2004253216.tif 000010
【図９】
2004253216.tif 000011
【図１０】
2004253216.tif 000012